(57)【要約】  【課題】  部分表示の非表示制御期間の軽負荷に伴うゲート電圧系のリップル電圧増大により、液晶表示パネルのフリッカバランスが画面の上下方向でずれた面内不均一特性になってしまうという表示品位の課題が生じていた。  【解決手段】  複数の走査信号電極線（Ｘ１〜Ｘｎ）に接続され、部分表示モードが選択されているときは、非表示期間における一水平走査期間が、全画面表示モードが選択されているときの有効表示期間における一水平走査期間より短い一水平走査期間を有する走査信号を前記走査信号電極線（Ｘ１〜Ｘｎ）に提供するゲート駆動装置１０、１２〜１４と、複数の画像信号電極線（Ｓ１〜Ｓｍ）に接続され、画像信号を画像信号電極線（Ｓ１〜Ｓｍ）に提供するソース駆動装置と、走査信号電極線（Ｘ１〜Ｘｎ）、および画像信号電極線（Ｓ１〜Ｓｍ）に接続されている表示画素１と、を備える、液晶表示パネルの駆動装置。  【選択図】図４
2005115092.tif 000002
【特許請求の範囲】
【請求項１】
複数の走査信号電極線に接続され、表示画面のうちの全部を表示させるための全画面表示モード、および前記表示画面のうちの一部を表示させるための部分表示モードを有しており、
前記部分表示モードが選択されているときは、非表示期間における一水平走査期間が、全画面表示モードが選択されているときの有効表示期間における一水平走査期間より短い一水平走査期間を有する走査信号を前記走査信号電極線に提供するゲート駆動装置と、
複数の画像信号電極線に接続され、画像信号を前記画像信号電極線に提供するソース駆動装置と、
前記走査信号電極線、および前記画像信号電極線に接続されている表示画素と、を備える、液晶表示パネルの駆動装置。
【請求項２】
前記部分表示モードが選択されているときは、表示期間における一水平走査期間が、全画面表示モードが選択されているときの一水平走査期間よりも長い、請求項１に記載の液晶表示パネルの駆動装置。
【請求項３】
前記部分表示モードが選択されているときに、前記表示期間の一水平走査期間のうち、前記全画面表示モードが選択されているときの有効表示期間の一水平装置期間が経過したのち、前記ソース駆動装置から前記表示画素への画像信号の提供を停止する、請求項１または２に記載の液晶表示パネルの駆動装置。
【請求項４】
前記部分表示モードが選択されているときに、複数の表示期間を有しており、
前記複数の表示期間のうちの各表示期間の開始時に前記走査信号電極線に提供される電圧が、実質上等しい、請求項１〜３のいずれかに記載の液晶表示パネルの駆動装置。
【請求項５】
前記部分表示モードが選択されているときに、単一の表示期間を有しており、
前記単一の表示期間の開始時に前記走査信号電極線に提供される電圧と、前記全画面表示モードが選択されているときに、前記有効表示期間の開始時に前記走査信号電極線に提供される電圧とが実質上等しい、請求項１〜４のいずれかに記載の液晶表示パネルの駆動装置。
【請求項６】
前記部分表示モードが選択されているときに、前記表示期間は、１フレームの有効表示期間の開始側の表示Ａ制御期間と、前記１フレームの有効表示期間の終了側の表示Ｂ制御期間と、を有しており、
前記表示Ａ制御期間の開始時に前記走査信号電極線に提供される電圧と、前記表示Ｂ制御期間の開始時に前記走査信号電極線に提供される電圧と、が実質上等しい、請求項５に記載の液晶表示パネルの駆動装置。
【請求項７】
前記部分表示モードが選択されているときに、フレーム単位の定期的周期で、前記ソース駆動装置は、前記表示画面がノーマリーホワイトの場合は白を表示する電圧を、前記表示画面がノーマリーブラックの場合は黒を表示する電圧を、前記非表示期間において、前記表示画素に提供する、請求項１〜６のいずれかに記載の液晶表示パネルの駆動装置。
【請求項８】
前記表示画面がノーマリーホワイトの場合は、前記部分表示モードが選択されているときの非表示期間における一水平走査期間が、前記ソース駆動装置が前記白を表示する電圧を前記表示画素へ充電完了させるために必要な時間以上であり、
前記表示画面がノーマリーブラックの場合は、前記部分表示モードが選択されているときの非表示期間における一水平走査期間が、前記ソース駆動装置が前記黒を表示する電圧を前記表示画素へ充電完了させるために必要な時間以上である、請求項７に記載の液晶表示パネルの駆動装置。
【請求項９】
表示画面のうちの全部を表示させるための全画面表示モード、および前記表示画面のうちの一部を表示させるための部分表示モードのうちの、前記部分表示モードを選択しているときは、非表示期間における一水平走査期間が、前記全画面表示モードが選択されているときの有効表示期間における一水平走査期間より短い一水平走査期間を有する走査信号を、走査信号電極線を介して表示画素に提供する工程と、
画像信号を画像信号電極線を介して前記表示画素に提供する工程と、を備える、液晶表示パネルの駆動方法。
【請求項１０】
請求項１に記載の液晶表示パネルの、複数の走査信号電極線に接続され、表示画面のうちの全部を表示させるための全画面表示モード、および前記表示画面のうちの一部を表示させるための部分表示モードを有しており、前記部分表示モードが選択されているときは、非表示期間における一水平走査期間が、全画面表示モードが選択されているときの有効表示期間における一水平走査期間より短い一水平走査期間を有する走査信号を前記走査信号電極線に提供するゲート駆動装置をコンピュータとして機能させるためのプログラム。
【請求項１１】
請求項１０に記載のプログラムを担持した記録媒体であって、コンピュータにより処理可能な記録媒体。
【発明の詳細な説明】
【技術分野】
【０００１】
本発明はノート型パソコンや携帯情報端末機等に用いられる情報表示用あるいはテレビモニター等の映像表示用としての液晶表示パネルの駆動装置に関するものである。
【背景技術】
【０００２】
近年、パソコンや携帯用電話機等の情報端末機や映像表示モニターとして軽薄短小の特徴を持つ液晶表示パネルの搭載機器が増えている。液晶表示パネルの駆動について簡単に述べる。
【０００３】
図４は、この従来のアクティブマトリックス型対向反転駆動方式液晶表示パネルの構成図を示すものである。ここで６は表示デ−タ信号に対応した電圧を画素に供給する画像信号電極線（Ｓ1〜Ｓm）、７は線順次走査を行うための選択走査信号を供給する走査信号電極線（Ｘ1〜Ｘn）、２は走査信号電極線７からの選択走査信号により制御されるスイッチング素子としての薄膜トランジスタ［以後、ＴＦＴと略す］、３は画素電極を有する表示材料としての液晶表示素子、４は液晶表示素子３に充電された画像電圧の低下を抑制するための蓄積容量、８は液晶表示素子３に基準となる電圧を供給するための対向信号電極、９は各画像信号電極線６に画像信号電圧を供給するソースドライバ、１０は各走査信号電極線７に線順次走査を行うための選択走査信号を供給するゲートドライバである。ソースドライバ９のロジック回路にはタイミング制御を行うためのタイミング制御信号および画像表示信号が入力され、ゲートドライバ１０のロジック回路にも同様にタイミング制御を行うためのタイミング制御信号が入力されている。尚、一つの表示画素は各１個のＴＦＴ２と液晶表示素子３と蓄積容量４からなる破線で囲まれた表示画素１から形成され、多数の表示画素でアクティブマトリックス型の液晶表示パネル５が構成される。
【０００４】
画像信号電極線６および走査信号電極線７はマトリックス状に配置され、これに対してＴＦＴ２のソ−ス端子は画像信号電極線６に、ゲ−ト端子は走査信号電極線７に、ドレイン端子は液晶表示素子３の画素電極および蓄積容量４の一方の電極に接続され、蓄積容量４の他方の電極は対向信号電極８に接続されている。対向信号電極８には対向信号電圧（ＶＣＯＭ）が供給されており、一水平同期期間（１Ｈ）毎に極性反転させた電圧を使用する。
【０００５】
画像表示を行うには、ソースドライバ９より表示デ−タ信号に対応した画像信号電圧を各画像信号電極線６に接続された各ＴＦＴ２のソ−ス端子（Ｓ）に供給するとともに、これと同期してゲートドライバ１０より選択された走査信号電極線７を介して選択走査信号を各ＴＦＴ２のゲ−ト端子（Ｇ）に供給する。これにより、選択された走査信号電極線上の各ＴＦＴ２はー斉にオンし、ドレイン端子（Ｄ）より供給される表示デ−タ信号に対応した画像信号電圧と対向信号電極８に供給されている対向信号電圧（ＶＣＯＭ）との電位差分が最終的な画像情報の画像表示電圧として各液晶表示素子３と各蓄積容量４に蓄積される。この電圧はＴＦＴ２のオフ後もその画像情報は次の情報が書き込まれる１フレーム期間に渡って保持される。液晶表示素子３は、この蓄積電圧量に対応しての液晶分子の捻れ角が変化することにより偏光板で方向性を与えた光の透過量を制御することでコントラストの高い高品位の画像を表示することができる。
【０００６】
一方、液晶表示パネルを駆動するための基本的な表示駆動回路は図５の様なブロック回路構成となる。図において、５は液晶表示パネル、１１は入力電源、１２は画像信号処理や駆動タイミングを制御するコントローラ回路、１３は液晶パネル５に必要なソースドライバ系，ゲートドライバ系そして対向信号電極系などの各種駆動電圧を発生させる液晶駆動電圧発生回路、１４は表示に必要な画像表示信号の送出やコントローラ回路の動作状態を監視するためのＣＰＵ回路である。
【０００７】
液晶表示装置において、携帯電話などの携帯情報端末機においては電源として電池駆動となるので低消費電力化が求められている。特に、図７の（Ａ）に示すような部分表示モードの場合（例えば、特許文献１参照。）は液晶表示パネルの一部しか表示しないので特に重要視される。表示Ａ，Ｂ部に対し非表示部は無駄な電力消費を抑制するために駆動タイミングや駆動電圧の一部をとめるやり方をするが、駆動方法や液晶表示パネルの種類／バラツキによっては（Ｂ）に示すような非表示部に表示Ａ，Ｂ部からの画素充電電圧のリークによる縦スジや縦帯状の画面が発生し表示品位に致命的な欠陥をもたらす。これを回避する手段として非表示部において定期的なフレーム周期での白書き込み駆動（ノーマリーホワイト型に相当。ノーマリーブラック型では黒書き込みとなる。）を追加することで可能である。ここで、白書き込みとは、ノーマリーホワイトの場合、表示画面に白を表示する電圧を画像信号電極線を介して表示画素に提供することであり、黒書き込みとは、ノーマリーブラックの場合、表示画面に黒を表示する電圧を画像信号電極線を介して表示画素に提供することである。
【０００８】
図６の（Ａ），（Ｂ）はその表示例を示したタイミング図で（Ａ）は全画面表示モード、（Ｂ）は部分表示モードの場合である。ここでは、部分表示モード（Ｂ）を中心に述べる。上下部の部分表示において、垂直同期信号（ＶＤ）の１フレーム期間（１Ｆ）に対し有効表示走査ライン期間中の上部の有効表示制御期間である表示Ａ制御期間をＴau1，下部の有効表示制御期間である表示Ｂ制御期間をＴad1，非表示制御期間をＴb1そして有効表示走査ライン期間以外の垂直ブランキング期間となるＢＬＫ制御期間をＴk1とする。非表示制御期間のＴb1およびＢＬＫ制御期間のＴk1では非表示制御信号（ＶＳＥＬ）により表示品位に影響しない駆動電圧やタイミング信号を停止させる。非表示制御信号（ＶＳＥＬ）と同タイミングのゲート選択停止信号（ＯＥＶ）によりゲートドライバ１０からの走査選択信号電圧を停止させ液晶表示素子３への画像信号電圧の充電を阻止することで非表示化が行われる。この例では液晶表示パネル５の低駆動電力化のやり方として比較的駆動電力比率の大きい対向信号電極電圧系の停止制御させた場合を示してある。
【０００９】
この制御信号により対向信号電圧（ＶＣＯＭ）の有効表示制御期間である表示Ａ制御期間（Ｔau1）と表示Ｂ制御期間（Tad1）は通常の最大電圧がＶＣＯＭＨ，最低電圧がＶＣＯＭＬの電圧振幅からなる一水平走査期間（１Ｈ）単位で極性反転する電圧が供給されているが、非表示制御期間（Ｔb1）および垂直ブランキング期間のＢＬＫ制御期間（Ｔk1）は強制的に電圧振幅動作を停止させセンター電圧（(VCOMH+VCOML)/2））の直流電圧にさせることにより、非表示制御期間（Ｔb1）とＢＬＫ制御期間（Ｔk1）の対向信号電極上の容量負荷に対する充放電電力損出を軽減して低電力化を行うものである。尚、図７の（Ｂ）で示したような非表示制御期間で縦スジや縦帯が発生する場合においては、定期的なフレーム周期で非表示期間（Ｔb1）を白書込制御期間（Ｔbw1＝Ｔb1）として白表示駆動を行うことでリーク電位をリセットすることで回避させる。当然のことながらこの間は、通常の表示動作となるので非表示制御信号（ＶＳＥＬ）やゲート選択停止信号（ＯＥＶ）は解除されている。一般には垂直同期期間である１フレーム期間中の一水平走査期間（１Ｈ）は一定のＴh1である。そのため、特に部分表示モードにおいては有効表示走査ライン期間中の非表示制御期間（Ｔb1）が長いので駆動電力の削減効果は大きい。
【特許文献１】特開２００３−１０８０８０号公報
【発明の開示】
【発明が解決しようとする課題】
【００１０】
しかしながら上記のような条件で非表示制御期間（Ｔb1）の駆動電力削減を行った場合、有効表示制御期間（Ｔau1，Ｔad1）と非表示制御期間（Ｔb1）との駆動電力差が大きくなるため、軽負荷となる非表示制御期間（Ｔb1）で駆動電圧が上昇する。例えば図６に示すようにＴＦＴ２のオン，オフを制御するゲート走査選択電圧の入力ゲート電圧（ＶＧＳ）のリップル電圧成分（△Ｖrp）は上記の負荷変動により有効表示制御期間（Ｔau1，Ｔad1）に対し非表示制御期間（Ｔb1）で軽負荷になることおよび有効表示制御期間に対して非表示制御期間が長いことにより駆動電圧が上昇し、フレーム周期のリップル電圧となってあらわれる。結果として、画面上部の表示Ａ制御期間（Ｔau1）でのリップル電圧の△Ｖrp10に対し表示下部の表示Ｂ制御期間（Ｔad1）のリップル電圧は△Ｖrp11（＞△Ｖrp10）となる。当然の事ながら非表示制御期間（Ｔb1）やＢＬＫ制御期間（Ｔk1）が長い程、リップル電圧（△Ｖrp10，△Ｖrp11）は大きいレベルとなる。リップル電圧成分による入力ゲート電圧（ＶＧＳ）の変化は、ＴＦＴのゲート／ドレイン間の容量，蓄積容量４，液晶表示素子３の容量に絡んだ容量結合によって液晶表示素子３の電位を更に下げる方向に変動させてしまう。そのため、図８のフリッカー特性で示すようにＶＣＯＭセンター電圧を通常は全画面表示モードで画面中央を最適フリッカ電圧（Ｖcc）として合わせるので、全画面表示モードより軽負荷となる部分表示モードにした場合にはリップル電圧成分（△Ｖrp10，△Ｖrp11）の増大により、図７での画面上部の表示Ａ部ではＶＣＯＭセンター電圧がやや−側の△Ｖca移動し、画面下部の表示Ｂ部では更に−側の△Ｖdcに移動した状態になるので液晶表示パネルのフリッカバランスが画面の上下方向でずれた面内不均一特性になってしまうという表示品位の課題が生じていた。
【００１１】
本発明は係る点に鑑み、部分表示におけるフリッカバランスを向上させた液晶表示パネルの駆動装置、液晶表示パネルの駆動方法、そのプログラム、記録媒体を提供することを目的としたものである。
【課題を解決するための手段】
【００１２】
上記課題を解決するために、第１の本発明は、複数の走査信号電極線に接続され、表示画面のうちの全部を表示させるための全画面表示モード、および前記表示画面のうちの一部を表示させるための部分表示モードを有しており、
前記部分表示モードが選択されているときは、非表示期間における一水平走査期間が、全画面表示モードが選択されているときの有効表示期間における一水平走査期間より短い一水平走査期間を有する走査信号を前記走査信号電極線に提供するゲート駆動装置と、
複数の画像信号電極線に接続され、画像信号を前記画像信号電極線に提供するソース駆動装置と、
前記走査信号電極線、および前記画像信号電極線に接続されている表示画素と、を備える、液晶表示パネルの駆動装置である。
【００１３】
第２の本発明は、前記部分表示モードが選択されているときは、表示期間における一水平走査期間が、全画面表示モードが選択されているときの一水平走査期間よりも長い、第１の本発明の液晶表示パネルの駆動装置である。
【００１４】
第３の本発明は、前記部分表示モードが選択されているときに、前記表示期間の一水平走査期間のうち、前記全画面表示モードが選択されているときの有効表示期間の一水平装置期間が経過したのち、前記ソース駆動装置から前記表示画素への画像信号の提供を停止する、第１または２の本発明の液晶表示パネルの駆動装置である。
【００１５】
第４の本発明は、前記部分表示モードが選択されているときに、複数の表示期間を有しており、
前記複数の表示期間のうちの各表示期間の開始時に前記走査信号電極線に提供される電圧が、実質上等しい、第１〜３のいずれかの本発明の液晶表示パネルの駆動装置である。
【００１６】
第５の本発明は、前記部分表示モードが選択されているときに、単一の表示期間を有しており、
前記単一の表示期間の開始時に前記走査信号電極線に提供される電圧と、前記全画面表示モードが選択されているときに、前記有効表示期間の開始時に前記走査信号電極線に提供される電圧とが実質上等しい、第１〜４のいずれかの本発明の液晶表示パネルの駆動装置である。
【００１７】
第６の本発明は、前記部分表示モードが選択されているときに、前記表示期間は、１フレームの有効表示期間の開始側の表示Ａ制御期間と、前記１フレームの有効表示期間の終了側の表示Ｂ制御期間と、を有しており、
前記表示Ａ制御期間の開始時に前記走査信号電極線に提供される電圧と、前記表示Ｂ制御期間の開始時に前記走査信号電極線に提供される電圧と、が実質上等しい、第５の本発明の液晶表示パネルの駆動装置である。
【００１８】
第７の本発明は、前記部分表示モードが選択されているときに、フレーム単位の定期的周期で、前記ソース駆動装置は、前記表示画面がノーマリーホワイトの場合は白を表示する電圧を、前記表示画面がノーマリーブラックの場合は黒を表示する電圧を、前記非表示期間において、前記表示画素に提供する、第１〜６のいずれかの本発明の液晶表示パネルの駆動装置である。
【００１９】
第８の本発明は、前記表示画面がノーマリーホワイトの場合は、前記部分表示モードが選択されているときの非表示期間における一水平走査期間が、前記ソース駆動装置が前記白を表示する電圧を前記表示画素へ充電完了させるために必要な時間以上であり、
前記表示画面がノーマリーブラックの場合は、前記部分表示モードが選択されているときの非表示期間における一水平走査期間が、前記ソース駆動装置が前記黒を表示する電圧を前記表示画素へ充電完了させるために必要な時間以上である、第７の本発明の液晶表示パネルの駆動装置である。
【００２０】
第９の本発明は、表示画面のうちの全部を表示させるための全画面表示モード、および前記表示画面のうちの一部を表示させるための部分表示モードのうちの、前記部分表示モードを選択しているときは、非表示期間における一水平走査期間が、前記全画面表示モードが選択されているときの有効表示期間における一水平走査期間より短い一水平走査期間を有する走査信号を、走査信号電極線を介して表示画素に提供する工程と、
画像信号を画像信号電極線を介して前記表示画素に提供する工程と、を備える、液晶表示パネルの駆動方法である。
【００２１】
第１０の本発明は、第１の本発明の液晶表示パネルの、複数の走査信号電極線に接続され、表示画面のうちの全部を表示させるための全画面表示モード、および前記表示画面のうちの一部を表示させるための部分表示モードを有しており、前記部分表示モードが選択されているときは、非表示期間における一水平走査期間が、全画面表示モードが選択されているときの有効表示期間における一水平走査期間より短い一水平走査期間を有する走査信号を前記走査信号電極線に提供するゲート駆動装置をコンピュータとして機能させるためのプログラムである。
【００２２】
第１１の本発明は、第１０の本発明のプログラムを担持した記録媒体であって、コンピュータにより処理可能な記録媒体である。
【発明の効果】
【００２３】
本発明によれば、部分表示におけるフリッカバランスを向上させた液晶表示パネルの駆動装置、液晶表示パネルの駆動方法、そのプログラム、記録媒体を提供することができる。
【発明を実施するための最良の形態】
【００２４】
図１は本発明の液晶パネルの駆動装置の実施の形態を示す。図５の従来例との相違はコントローラ回路１２１から供給されるタイミング制御信号に関して通常の全画面表示モードに対し部分表示モードにおける有効表示制御期間（本発明の表示期間）と非表示制御期間（本発明の非表示期間）とで一水平走査期間を異ならせ非表示制御期間を短時間制御させたことである。また、このタイミング制御信号に連動して液晶駆動電圧発生回路１３１も一部の駆動電圧に関して出力停止を行うものである。他の制御信号などについては図５の従来例と同様である。
【００２５】
図２は本実施の形態で、部分表示モードにおける上部および下部の表示でのタイミング制御信号を示したものである。従来の駆動法では一水平走査期間（１Ｈ＝Ｔh1）は常に一定だったのに対し、本実施の形態では部分表示モード時に有効表示制御期間の一水平走査期間をＴh2（但し、＞Ｔh1）、非表示制御期間をＴh3（＜Ｔh1）の関係にして、非表示制御期間をできるだけ短時間にすることで表示停止における軽負荷状態による駆動電圧の上昇を抑制するものである。総走査ライン数Ｎに対し上部および下部の表示ライン数を各々ａとした場合、従来例と比較すると表示Ａ制御期間（Ｔau2），表示Ｂ制御期間（Ｔad2）はＴau2＝Ｔad2＝ａ×Ｔh2＞Ｔau1＝Ｔad1＝ａ×Ｔh1、非表示制御期間（Ｔb2）はＴb2＝（Ｎ−２×ａ）×Ｔh3＜Ｔb1＝（Ｎ−２×ａ）×Ｔh1、ＢＬＫ制御期間（Ｔk2）は基本的にはＴk2＝Ｔk1となる。
【００２６】
一水平走査期間の変更はコントローラ回路１２１にて源発振クロックのカウント数を各制御信号毎に制御することで可能である。当然のことながら、これらの制御期間に対応してゲート選択停止信号（ＯＥＶ），非表示制御信号（ＶＳＥＬ），対向信号電圧（ＶＣＯＭ）も追従した状態になる。このように１フレーム期間内の一水平走査期間を表示状態に対応して可変制御することによるゲート走査選択電圧（ＶＧＳ）のリップル電圧成分（△Ｖrp）は次のようになる。  まず、表示Ａ制御期間（Ｔau2）は従来の表示Ａ制御期間（Ｔau1）より長くなるがソースドライバ９から供給される画像信号電圧の充電に要する電力は同じなのでリップル電圧成分としては、ＢＬＫ制御期間（Ｔk2）に回復する電圧（△Ｖrp20）が相当し従来のリップル電圧成分（△Ｖrp10）とほぼ同レベルになる。次に表示Ｂ制御期間（Ｔad2）は同様に従来の表示Ｂ制御期間（Ｔad1）より長くなるがソースドライバ９から供給される画像信号電圧の充電に要する電力は同じなのでリップル電圧成分としては、非表示制御期間（Ｔb2）に回復する電圧（△Ｖrp21）が相当する。
【００２７】
この間、非表示による軽負荷で駆動電圧が上昇しリップル電圧が発生するが、リップル電圧量は概ねその状態を継続している時間に比例している。従って、非表示制御期間（Ｔb2）の一水平走査期間（Ｔh3）を従来の非表示制御期間（Ｔb1）の一水平走査期間（Ｔh1）に対しＴh3＜Ｔh1の関係としているので、リップル電圧量△Ｖrp21は従来値の△Ｖrp11の概ねＴh3／Ｔh1に低減させることができる。この場合、リップル電圧量△Ｖrp20と△Ｖrp21とは実質上等しいことが最も望ましく、そのような場合は、表示Ａ制御期間および表示Ｂ制御期間において、フリッカバランスは均一となる。すなわち、リップル電圧による入力ゲート電圧（ＶＧＳ）の変化は、ＴＦＴのゲート／ドレイン間の容量，蓄積容量４，液晶表示素子３の容量に関係した容量結合によって液晶表示素子３の電位を更に下げる方向に変動させる。その変動の大きさは、△Ｖrp20＝△Ｖrp21であれば、同一であるので、ＶＣＯＭセンター電圧のずれ方が表示Ａ制御期間および表示Ｂ制御期間において同一であり、その結果フリッカバランスは均一となる。このような効果を得るためには、非表示制御期間（Ｔｂ２）をＢＬＫ制御期間（Ｔｋ２）と実質上同一とすればよい。
【００２８】
ところで、図７の（Ｂ）で示したような非表示部で縦スジや縦帯が発生するものにあっては、この非表示制御期間で定期的なフレーム周期での白書き込み制御で回避する手法を従来例で述べたが、図２の本実施の形態では非表示制御期間（Ｔb2）にて同様に白書き込み制御期間（Ｔbw2）を設ける。
【００２９】
白書き込み制御期間（Ｔbw2）における一水平走査期間は少なくとも白表示のためのソースドライバ９の画像信号電圧を充電するに十分な時間を確保したＴh3である必要がある。図３は水平走査期間とソースドライバ出力に対する画素電位の関係を示したものである。水平走査期間は１Ｈ＝Ｔh1（全画面表示モード），Ｔh2（部分表示モードにおける表示制御期間），Ｔh3（部分表示モードにおける非表示制御期間および白書き込み制御期間）。
【００３０】
これに対し、ソースドライバ出力と画素電位では最大画素充電時間を必要とする黒表示（１）と最小充電時間となる白表示（２）の場合である。また、（１）の黒表示においてＶsbは黒画像信号電圧，Ｖdbは液晶表示素子３に充電される黒画素電位，Ｔwbsは黒画像信号電圧（Ｖsb）の画像信号電極線６の容量負荷への充電完了時間，Ｔwbdは黒画像信号電圧（Ｖsb）の液晶表示素子３への充電完了時間である。通常、最大画素充電時間を必要とする黒表示の液晶表示素子３への充電完了時間（Ｔwbd）が全画面表示モードでの一水平走査期間のＴh1に設定される。（２）の白表示においてＶswは白画像信号電圧，Ｖdwは液晶表示素子３に充電される白画素電位，Ｔwwsは白画像信号電圧（Ｖsw）の画像信号電極線６の容量負荷への充電完了時間，Ｔwwdは白画像信号電圧（Ｖsw）の液晶表示素子３への充電完了時間である。図２で述べたように白書き込み制御期間（Ｔbw2）の一水平走査期間（Ｔh3）は白表示の液晶表示素子３への充電完了時間（Ｔwwd）を満足する時間に設定する必要がある。
【００３１】
部分表示モードにおいて以上のような制御時間設定により非表示制御期間の短縮化で軽負荷に起因した駆動電圧の上昇によるリップル電圧成分の増加を抑制できる。しかしながら、標準となる全画面表示モードの一水平走査期間のＴh1に対し、部分表示モード時の有効表示制御期間の一水平走査期間のＴh2は△Ｔh＝Ｔh2−Ｔh1の期間延長分がソースドライバ９の出力アンプの電力増加をもたらす懸念がある。この課題に対し、ソースドライバ９の出力アンプ系に出力のハイインピーダンス化，出力アンプの動作停止化などのパワーセーブ機能を持たせることで改善が可能で、部分表示モード時の有効表示制御期間の一水平走査期間（Ｔh2）の内、後半部に当たる△Ｔh＝Ｔh2−Ｔh1の期間延長分についてパワーセーブ制御信号ＰＳとしてコントローラ回路１２１からソースドライバ９に供給すればよい。これにより、少なくとも水平走査期間のＴh1からＴh21への増加に伴う、ソースドライバ系の電力増加の抑制ができるものである。
【００３２】
本発明は前記した駆動装置により、部分表示モードにおける表示制御期間の一水平走査期間を非表示制御期間の一水平走査期間より長くし、かつ、できるだけを非表示制御期間の一水平走査期間を短くすることにより、表示動作停止による軽負荷動作での駆動電圧の上昇を抑えフリッカ特性への影響を極力小さくした液晶表示パネルを提供するものであり、その効果は大なるものである。
【００３３】
尚、部分表示モード時の表示例として図７のような上下部の例で説明したが、上部と中間部、中間部と下部等、複数の表示期間がある場合も考えられる。そのような場合も、非表示期間の１Ｈ期間を調節することにより各表示期間の開始時に走査信号電極線に供給される電圧が実質上等しくすることができる。従って、そのような場合も、上記と同様、各部分表示期間におけるフリッカバランスのずれを改善することができる。
【００３４】
また、表示画面の上部のみ，中間部のみ，下部のみといった分割表示でない部分表示でも、本発明は有効である。その場合は、非表示期間の１Ｈ期間を調節することにより、部分表示期間の開始時に走査信号電極線に供給される電圧を全画面表示時に走査信号電極線に供給される電圧とを実質上等しくすることができれば、全画面表示モードの場合と部分表示モードの場合でのフリッカバランスのずれを改善することができる。
【００３５】
また、以上までの説明では、部分表示モードにおける非表示制御期間の一水平走査期間（Ｔｈ３）を前記画面表示モードにおける一水平走査期間（Ｔｈ１）よりも短くし、部分表示モードにおける表示制御期間における一水平走査期間（Ｔｈ２）をＴｈ１よりも長くするとしてきたが、Ｔｈ３がＴｈ１より短ければ、Ｔｈ２＝Ｔｈ１であってもよいことも考えられる。その場合は、有効表示期間が短くなるが、部分表示におけるフリッカーバランスを改善する、という効果は、程度の差はあれ、上記と同様得ることができる。
【００３６】
また、以上までの説明において、本発明のゲート駆動装置とは、一例としてゲートドライバ１０、コントローラ回路１２１、液晶駆動電圧発生回路１３１、ＣＰＵ回路１４に対応し、本発明のソース駆動装置とは、一例としてソースドライバ９、コントローラ回路１２１、ＣＰＵ回路１４、液晶駆動電圧発生回路１３１に対応する。しかし、本発明のゲート駆動装置、およびソース駆動装置は、他の構成であってもよく、同様の動作をすれば、本発明の効果を得ることができる。
【００３７】
尚、本発明のプログラムは、上述した本発明の液晶表示パネルの駆動装置の全部又は一部の手段（又は、装置、素子等）の機能をコンピュータにより実行させるためのプログラムであって、コンピュータと協働して動作するプログラムである。
【００３８】
又、本発明の記録媒体は、上述した本発明の液晶表示パネルの駆動装置の全部又は一部の手段（又は、装置、素子等）の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００３９】
尚、本発明の上記「一部の手段（又は、装置、素子等）」とは、それらの複数の手段の内の、一つ又は幾つかの手段を意味する。
【００４０】
又、本発明の上記「手段（又は、装置、素子等）の機能」とは、前記手段の全部又は一部の機能を意味し、本発明の上記「ステップ（又は、工程、動作、作用等）の動作」とは、前記ステップの全部又は一部の動作を意味する。 
【００４１】
又、本発明のプログラムの一利用形態は、コンピュータにより読み取り可能な記録媒体に記録され、コンピュータと協働して動作する態様であっても良い。
【００４２】
又、本発明のプログラムの一利用形態は、伝送媒体中を伝送し、コンピュータにより読みとられ、コンピュータと協働して動作する態様であっても良い。
【００４３】
又、本発明のデータ構造としては、データベース、データフォーマット、データテーブル、データリスト、データの種類などを含む。
【００４４】
又、記録媒体としては、ＲＯＭ等が含まれ、伝送媒体としては、インターネット等の伝送媒体、光・電波・音波等が含まれる。
【００４５】
又、上述した本発明のコンピュータは、ＣＰＵ等の純然たるハードウェアに限らず、ファームウェアや、ＯＳ、更に周辺機器を含むものであっても良い。
【００４６】
尚、以上説明した様に、本発明の構成は、ソフトウェア的に実現しても良いし、ハードウェア的に実現しても良い。
【産業上の利用可能性】
【００４７】
本発明にかかる、液晶表示パネルの駆動装置、液晶表示パネルの駆動方法によれば、部分表示におけるフリッカバランスを向上させることができ、ノート型パソコンや携帯情報端末機等に用いられる情報表示用あるいはテレビモニター等の映像表示用として有用である。
【図面の簡単な説明】
【００４８】
【図１】本発明の実施の形態での液晶表示パネル駆動装置における駆動制御系のブロック回路図。
【図２】本発明の実施形態での液晶表示パネル駆動に関する部分表示時の主な駆動電圧／制御信号のタイミングを示す図。
【図３】本発明の実施形態での液晶表示パネル駆動に関する一水平走査期間およびソースドライバ出力と画素電位の関係を示す図。
【図４】一般的なアモルファスＴＦＴによるアクティブ型対向反転駆動方式液晶表示パネルの構成図。
【図５】従来の液晶表示パネル駆動装置における駆動制御系のブロック回路図。
【図６】従来の液晶表示パネル駆動装置における（Ａ）全画面表示モード駆動および（Ｂ）部分表示モード駆動の主な駆動電圧／制御信号のタイミングを示す図。
【図７】部分表示モード駆動における表示画面例を示す図。
【図８】図６の部分表示モード駆動における表示部の位置に対するフリッカー特性を示す図。
【符号の説明】
【００４９】
５  液晶表示パネル
１２  コントローラ回路
１３  液晶駆動電圧発生回路
１４  ＣＰＵ回路
１２１  コントローラ回路
１３１  液晶駆動電圧発生回路
【図１】
2005115092.tif 000003
【図２】
2005115092.tif 000004
【図３】
2005115092.tif 000005
【図４】
2005115092.tif 000006
【図５】
2005115092.tif 000007
【図６】
2005115092.tif 000008
【図７】
2005115092.tif 000009
【図８】
2005115092.tif 000010